(57)【要約】  【課題】  画像処理装置の総合的な稼働状況を時間軸に照らし合わせて視覚的に把握することが出来る画像処理装置を提供することにある。  【解決手段】  画像を出力するために画像形成処理を行なう各種構成機器と、これら各種構成機器を制御するための制御装置と、各種情報を視覚的に表示するためのモニターが搭載された画像処理装置において、制御装置に、画像処理装置における画像形成処理時の各構成機器の稼働開始から稼働終了に至る稼働状況を記録するための稼働状況記録部と、稼働状況記録部に記録された各構成機器の稼働状況をモニターの画面上に総合的に表示させるための運転状況表示制御部とを構築して、画像処理装置の総合的な稼働状況をオペレータが視覚的に把握出来るようにした。  【選択図】  図３
2006025070.tif 000002
【特許請求の範囲】
【請求項１】
画像を出力するために画像形成処理を行なう各種構成機器と、これら各種構成機器を制御するための制御装置と、各種情報を視覚的に表示するためのモニターが搭載された画像処理装置において、制御装置には、画像処理装置における画像形成処理時の各構成機器の稼働開始から稼働終了に至る稼働状況を記録するための稼働状況記録部と、稼働状況記録部に記録された各構成機器の稼働状況をモニターの画面上に総合的に表示させるための運転状況表示制御部とが構築されていることを特徴とする画像処理装置。
【請求項２】
運転状況表示制御部が、稼働状況記録部に記録された異なる日の各構成機器の稼働状況をそれぞれ総合的に表示するようにしていることを特徴とする請求項１に記載の画像処理装置。
【請求項３】
画像処理装置が複数台接続され、接続された複数台中の少なくとも一台の画像処理装置における運転状況表示制御部は、接続された複数の画像処理装置における稼働状況記録部に記録された各構成機器の稼働状況をモニターの画面上に総合的に表示させるようにしていることを特徴とする画像処理装置。
【発明の詳細な説明】
【技術分野】
【０００１】
本発明は、例えば画像をプリント用紙にプリント処理するなどの画像を出力するために画像形成処理を行なう画像処理装置に関する。
【背景技術】
【０００２】
一般にこの種の画像処理装置は、現像済フィルムのコマ画像を読み取るためのスキャナ、各種記録メディアに記録した画像データを読み取るための読み取り装置、スキャナまたは読み取り装置で読み取った画像データに主として各種の画像処理を施すための画像データ処理機構等が搭載された画像処理機と、画像処理機で処理された画像データを出力する一例としてプリント用紙に焼き付けるためのプリンターと、画像が焼き付けられたプリント用紙を現像処理するためのプロセッサとから構成されている。
【０００３】
また以上の画像処理装置では、前述の各種構成機器を制御する制御手段としてのコントローラや、このコントローラに各種情報を入力するための入力手段としてのキーボード、更には各種情報を視覚的に表示するための表示手段としてのモニターなどが備えられており、オペレータは、モニターを見ながら適宜キーボードなどを操作して、画像処理装置を操作するようにしている。（特許文献１参照）
【特許文献１】特開２００１−１７４９３８号  ところで、以上の画像処理装置では、プリントの処理枚数を示すカウンタなどが搭載されており、オペレータは、これらカウンタなどによってプリントの処理枚数などを個々に任意把握することが出来るが、画像処理装置の各構成機器の全体的な稼働状況、即ち例えばスキャナの駆動状況や、プリンタの駆動状況など画像処理装置の全体的的な運転状況を把握することは出来ないものである。
【０００４】
そのため、特に複数台の画像処理装置が備えられたラボ店において、これら複数台の画像処理装置の総合的な稼働状況を把握し難くて、これら複数台の画像処理装置を効率良く運転することが困難である。
【発明の開示】
【発明が解決しようとする課題】
【０００５】
本発明は以上の実情に鑑みて開発したものであって、目的とするところは、画像処理装置の時間軸に照らし合わせた総合的な稼働状況を視覚的に把握することが出来る画像処理装置を提供することにある。
【課題を解決するための手段】
【０００６】
以上の目的を達成するために、請求項１に記載の発明は、画像を出力するために画像形成処理を行なう各種構成機器と、これら各種構成機器を制御するための制御装置と、各種情報を視覚的に表示するためのモニターが搭載された画像処理装置において、制御装置には、画像処理装置における画像形成処理時の各構成機器の稼働開始から稼働終了に至る稼働状況を記録するための稼働状況記録部と、稼働状況記録部に記録された各構成機器の稼働状況をモニターの画面上に総合的に表示させるための運転状況表示制御部とが構築されていることを特徴とするものである。
【０００７】
請求項２に記載の発明は、請求項１に記載の運転状況表示制御部が、稼働状況記録部に記録された異なる日の各構成機器の稼働状況をそれぞれ総合的に表示するようにしていることを特徴とするものである。
【０００８】
請求項３に記載の発明は、請求項１または２に記載の画像処理装置が複数台接続され、接続された複数台中の少なくとも一台の画像処理装置における運転状況表示制御部は、接続された複数の画像処理装置における稼働状況記録部に記録された各構成機器の稼働状況をモニターの画面上に総合的に表示させるようにしていることを特徴とするものである。
【発明の効果】
【０００９】
請求項１に記載の発明によれば、モニターの画面を見るだけで、画像処理装置の過去の稼働状況の傾向を把握して、画像処理作業の稼働計画を立てる際の参考とすることが出来るので、画像処理装置の効率的な運用が行ない易くなる。
【００１０】
請求項２に記載の発明によれば、請求項１に記載の発明の効果に加え、異なる日の稼働状況を把握することにより、画像処理装置の運行状況をより細かく把握することが出来、より一層、画像処理装置の効率的な運用が行ない易くなるのである。
【００１１】
また請求項３に記載の発明によれば、請求項１または２に記載の発明の効果に加え、例えばＬＡＮで接続されている複数台の画像処理装置の過去の運行状況の傾向を視覚的に把握することが出来、複数台の画像処理装置の効率的な運用が行なえる。
【発明を実施するための最良の形態】
【００１２】
図１は、本発明にかかる画像処理装置の一例を概略的に示したものであって、この画像処理装置１は、現像済フィルムをセットするためのフィルムマスクユニット２１、このフィルムマスクユニット２１にセットされた現像済フィルムのコマ画像を読み取るためのスキャナ２２、各種記録メディアに記録した画像データを読み取るための読み取り装置２３、スキャナ２２または読み取り装置２３で読み取った画像データに主として各種の画像処理を施すための画像処理部２４を搭載した画像処理機２と、
画像処理機２で処理された画像データを出力する一例として、プリント用紙の一例である印画紙Ｐに画像を焼き付けるためのプリンター３と、
プリンター３で画像が焼き付けられた印画紙を現像するためのプロセッサ４とから構成されている。
【００１３】
画像処理機２に搭載されているスキャナ２２は、現像済フィルムをフィルムマスクユニット２１にセットすることにより、光源ユニット２０からの光をフィルムマスクユニット２１にセットされた現像済フィルムに照射して、各コマの画像を順次読み取って画像処理部２４に出力し、また画像処理部２４では、スキャナ２２または読み取り装置２３で読み取られた画像データに各種画像処理を施すようにしている。
【００１４】
画像処理部２４は、画像処理ソフトウエア等がインストールされたコンピュータから成るメインコントローラ２５と、メインコントローラ２５に各種情報を入力するためのキーボード２６ａ及びマウス２６ｂと、各種情報を視覚的に表示するためのモニター２７とから構成されている。
【００１５】
そしてスキャナ２２若しくは読み取り装置２３により読み取られた画像データは、所定の処理プログラムとキーボード２６ａまたはマウス２６ｂにより入力されるプリントサイズなどの各種情報に基づいてメインコントローラ２５により適宜処理された後、順次プリントデータとしてプリンター３に搭載した後記のサブコントローラ３０に出力するようにしている。
【００１６】
プリンター３は、画像処理機２の画像処理部２４で作成されたプリントデータを印画紙Ｐに焼き付けるためのものであり、画像処理部２４から出力されたプリントデータなどを入力するためのサブコントローラ３０と、ロール状に巻かれた印画紙Ｐを充填したペーパーマガジン３１ａ・３１ｂと、ペーパーマガジン３１ａ・３１ｂから送り出される印画紙Ｐを搬送するための搬送機構３２と、搬送機構３２で搬送される印画紙Ｐにサブコントローラ３０を介して画像データを露光するためのレーザービーム方式の露光機構３３とが搭載されている。
【００１７】
そしてプリンター３では、メインコントローラ２５から出力されるプリントデータがサブコントローラ３０に入力されるに伴い、このサブコントローラ３０で、入力されるプリントデータに基づいて露光用データが生成されて、露光機構３３に出力されるようにしている。
【００１８】
尚、露光機構３３の方式としては、レーザービーム方式のほか、ＰＬＺＴシャッター方式や、液晶シャッター方式、蛍光ビーム方式等が知られており、仕様に応じて任意の方式を採択することが出来る。
【００１９】
プロセッサ４は、プリンター３で画像が焼き付け処理された印画紙Ｐを現像処理するための現像処理機構４１と、現像処理機構４１で現像処理された印画紙Ｐを乾燥するための乾燥処理機構４２と、乾燥処理により完成したプリントＰＲを搬出するための搬出機構４３と、この搬出機構４３から搬出される印画紙を例えばオーダー毎に仕分けるためのソーター４４とが備えられている。
【００２０】
現像処理機構４１は複数の処理槽４１ａが備えられており、これら処理槽４１ａには、現像液、漂白・定着液、安定化液等の各種処理液がそれぞれ個別に貯溜されている。
【００２１】
乾燥処理機構４２は、印画紙Ｐを乾燥するためのヒーターを備え、搬送機構（図示せず）により搬送される印画紙Ｐをヒーターで適宜乾燥するようにしている。
【００２２】
ソーター４４は、多数の受け皿４５が備えられ、基本的には、メインコントローラ２５の制御により、出来上がったプリントが例えば１オーダ分受け皿４５に搬送された段階で、その受け皿４５が下方に移送されると共に、続いて搬送されて来るプリントＰは次の受け皿４５に収容するようにしている。
【００２３】
また以上の画像処理装置では、画像処理機２、プリンター３、プロセッサー４を構成する各種構成機器は、メインコントローラ２５により制御するようにしている。
【００２４】
そして以上の構成から成る画像処理装置１において、図に示す実施形態では、メインコントローラ２５のプログラム上に、
画像処理装置におけるプリント処理時の各構成機器の稼働開始時から稼働終了時に至る稼働状況（稼働時間）を記録するための稼働状況記録部５と、
稼働状況記録部５に記録された各構成機器の稼働状況（稼働時間）をモニター２７の画面上に総合的に表示させるための運転状況表示制御部６とが構築されている。
【００２５】
以上の実施形態では、２台の画像処理装置１がＬＡＮで接続されており、各画像処理装置１の稼働状況記録部５には、この稼働状況記録部５が構築されている画像処理装置１の稼働状況に加え、ＬＡＮ接続されている他の画像処理装置１におけるプリント処理時の各構成機器の稼働開始時から稼働終了時に至る稼働状況（稼働時間）をも記録するようにしている。
【００２６】
また運転状況表示制御部６によるモニター２７の画面上への表示態様は、図４〜図６に示すように、横軸が時間の経過を表わしてなるいわゆるガントチャート様式のものであって、各構成機器による稼働内容、具体的には、画像処理機２での画像処理作業を示す「ジャッジ」プリンター３の露光機構３３の露光作業を示す「露光動作」画像処理機２でのメディアへの画像保存作業用を示す「メディア保存」、プロセッサ４での現像処理作業を示す「ペーパー現像」画像処理装置１の運転開始時における温調作業を示す「準備中」などの各稼働時間に対応して、その稼働開始時から稼働終了時まで横方向に延びる棒グラフ状の表示７ａ〜７ｅがそれぞれ異なる色彩でモニター２７の画面上に表示されるようにしている。
【００２７】
図４に示す表示態様は、画像処理装置１の各種構成機器による稼働が横方向に一列に表示される概要表示部８ａと、各種構成機器の稼働がそれぞれ個別に表示される詳細表示部８ｂとに分けられ、概要表示部８ａでは、各構成機器の稼働に対応する表示７ａ〜７ｅが時間軸上に順次表示され、詳細表示部８ｂでは、各構成機器の稼働状況ごとに個別に表示されるようにしたものである。
【００２８】
また図５に示す表示態様は、異なる日の稼働状況を複数の段に分けてそれぞれ概略表示８ａにより表示するようにしたものである。
【００２９】
また更に図６に示す表示態様は、ＬＡＮで接続された２台の画像処理装置１のそれぞれの稼働状況を概略表示８ａにより複数段に表示するようにしたものであって、画面の上段には、本機の画像処理装置１の稼働状況が、また画面の下段にはＬＡＮで接続された別機の画像処理装置の稼働状況がそれぞれ表示されるようにしている。
【００３０】
以上の図４〜図６に示す表示態様の切換は、キーボード２６ａまたはマウス２６ｂの操作により、モニター２７のメニュー画面から所望の表示方法を選択することで行なうようにしている。
【００３１】
例えばキーボード２６ａまたはマウス２６ｂの操作よる表示態様の選択により、図４に示す表示仕様が選択されると、モニター２７の画面には、画像処理装置１の例えば昨日の稼働状況が表示されるのである。
【００３２】
また図５に示す表示仕様が選択されると、モニター２７の画面には、過去の異なる日の稼働状況がそれぞれ表示されるのである。
【００３３】
更に図６に示す表示仕様が選択されると、モニター２７の画面には、ＬＡＮで接続された２台の画像処理装置１の過去の日時におけるそれぞれの稼働状況が表示されるのである。
【００３４】
斯くしてオペレータは、以上のモニター２７の画面を見るだけで、画像処理装置１の過去の稼働状況の傾向を把握することが出来、例えばこれから行なう画像処理作業の稼働計画を立てる際の参考とすることが出来、画像処理装置１の効率的な運用が行ない易くなるのである。
【００３５】
特に図５に示す表示仕様を選択した場合には、画像処理装置１の運行状況をより細かく把握することが出来、より一層、画像処理装置１の効率的な運用が行ない易くなるのである。
【００３６】
また特に図６に示す表示仕様を選択した場合には、ＬＡＮで接続されている２台の画像処理装置１の過去の運行状況の傾向を把握することが出来、２台の画像処理装置１の効率的な運用が行なえる。
【００３７】
以上の実施形態では、例えばレーザー式の露光機構３３が搭載された画像処理装置に本発明を適用したが、これに限定されるものではなく、インクジェット式のプリント機構が搭載された画像処理装置に本発明を適用してもよい。
【図面の簡単な説明】
【００３８】
【図１】本発明にかかる画像処理装置の説明図。
【図２】本発明にかかる画像処理装置の構成図。
【図３】画像処理装置の稼働状況の一例を示す説明図。
【図４】モニターの画面表示の一例を示す説明図。
【図５】モニターの画面表示の他の例を示す説明図。
【図６】モニターの画面表示の他の例を示す説明図。
【符号の説明】
【００３９】
１      画像処理装置
２      画像処理機
２５    メインコントローラ
２６ａ  キーボード
３      プリンター
４      プロセッサ
５      稼働状況記録部
６      稼働状況表示制御部
８ａ    概要表示部
８ｂ    詳細表示部
【図１】
2006025070.tif 000003
【図２】
2006025070.tif 000004
【図３】
2006025070.tif 000005
【図４】
2006025070.tif 000006
【図５】
2006025070.tif 000007
【図６】
2006025070.tif 000008